【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
評価対象のシステムの構成に関連する複雑度を定量的に評価するための方法であって、  前記評価対象のシステムに関する構成関連データを収集するステップと、  前記構成関連のデータの少なくとも一部を人間による構成に関するコストのモデルを使用して定量的に分析することで前記評価対象のシステムの構成の複雑度を算出するステップと、  前記評価対象のシステムの前記構成の品質を評価するステップと、
前記定量的な分析および前記品質の評価に基づいて前記評価対象のシステムの前記構成の複雑度を提示するステップを含み、 前記評価対象のシステムの前記構成の複雑度を提示する前記ステップが、指定された構成プロセスの金銭的な影響を計算するアルゴリズムを介してレポートを作成するステップをさらに含み、
構成コストを最小限に抑える１つまたは複数のシステム構成を選択することによって、１つまたは複数のホスティング・サービスを提供する金銭的なコストを最適化するために使用することができる方法。
を含む方法。
【請求項２】
前記評価対象のシステムに関する構成関連のデータを収集する前記ステップが、１つまたは複数の構成プロセスを取り込むステップをさらに含む、請求項１に記載の方法。
【請求項３】
１つまたは複数の構成プロセスを取り込む前記ステップが、  １人または複数の人間のオペレータの動作をモニタするステップ、  文書やスクリプトを分析するステップ、  構成プロセスを直接手動で入力できるようにするステップ、および  構成プロセスの１つまたは複数の明示的な仕様をロードするステップのうちの１つまたは複数をさらに含む、請求項２に記載の方法。
【請求項４】
前記評価対象のシステムに関する構成関連のデータを収集する前記ステップが、１つまたは複数の構成コントロールに関するデータを収集するステップをさらに含む、請求項１に記載の方法。
【請求項５】
１つまたは複数の構成コントロールに関するデータを収集する前記ステップが、パラメータ、実行可能なオペレーション、ステータスの表示、および構成リポジトリのうちの１つまたは複数を含むデータを収集するステップをさらに含む、請求項４に記載の方法。
【請求項６】
前記構成関連のデータの少なくとも一部を定量的に分析して前記評価対象のシステムの前記構成の複雑度を算出する前記ステップが、１つまたは複数の構成複雑度スコアを計算するステップをさらに含む、請求項１に記載の方法。
【請求項７】
前記評価対象のシステムの前記構成の複雑度を提示する前記ステップが、人間が読み取ることができるフォーマットおよび機械が読み取ることができるフォーマットのうちの１つまたは複数で前記複雑度の分析の結果を提示するステップをさらに含む、請求項１に記載の方法。
【請求項８】
構成の複雑度を最小限に抑えるように１つまたは複数の構成インターフェースを動的に適合させるために、自動化された方法を使用することができる、請求項１に記載の方法。
【請求項９】
評価対象のシステムの構成に関連する複雑度を定量的に評価するための方法であって、
前記評価対象のシステムに関する構成関連データを収集するステップと、
前記構成関連のデータの少なくとも一部を人間による構成に関する定量的に分析することで前記評価対象のシステムの構成の複雑度を算出するステップと、
前記評価対象のシステムの前記構成の品質を評価するステップと、
前記定量的な分析に基づいて前記評価対象のシステムの前記構成の複雑度を提示するステップを含み、
さらに、前記１つまたは複数の構成複雑度スコアが、人間による完了時間のスコア、エラー率のスコア、指定されたスキル・レベルを有する指定された人数の人間のオペレータに関するエラーの深刻度のスコア、および前記収集された構成関連のデータの統計的な集約に基づく生の複雑度スコアのうちの１つまたは複数を含む、方法。
【請求項１０】
評価対象のシステムの構成に関連する複雑度を定量的に評価するための方法であって、
前記評価対象のシステムに関する構成関連データを収集するステップと、
前記構成関連のデータの少なくとも一部を人間による構成に関する定量的に分析することで前記評価対象のシステムの構成の複雑度を算出するステップと、
前記評価対象のシステムの前記構成の品質を評価するステップと、
前記定量的な分析に基づいて前記評価対象のシステムの前記構成の複雑度を提示するステップを含み、
前記構成関連のデータの少なくとも一部を定量的に分析して前記評価対象のシステムの前記構成の複雑度を算出する前記ステップが、人間による構成に関するコストのモデルを使用するステップをさらに含む、方法。
【請求項１１】
評価対象のシステムの構成に関連する複雑度を定量的に評価するための方法であって、
前記評価対象のシステムに関する構成関連データを収集するステップと、
前記構成関連のデータの少なくとも一部を人間による構成に関する定量的に分析することで前記評価対象のシステムの構成の複雑度を算出するステップと、
前記評価対象のシステムの前記構成の品質を評価するステップと、
前記定量的な分析に基づいて前記評価対象のシステムの前記構成の複雑度を提示するステップを含み、
前記評価対象のシステムの前記構成の複雑度を提示する前記ステップが、指定された構成プロセスの金銭的な影響を計算するアルゴリズムを介してレポートを作成するステップをさらに含む、方法。
【請求項１２】
評価対象のシステムの構成に関連する複雑度を定量的に評価するための方法であって、
前記評価対象のシステムに関する構成関連データを収集するステップと、
前記構成関連のデータの少なくとも一部を人間による構成に関する定量的に分析することで前記評価対象のシステムの構成の複雑度を算出するステップと、
前記評価対象のシステムの前記構成の品質を評価するステップと、
前記定量的な分析に基づいて前記評価対象のシステムの前記構成の複雑度を提示するステップを含み、
構成コストを最小限に抑える１つまたは複数のシステム構成を選択することによって、１つまたは複数のホスティング・サービスを提供する金銭的なコストを最適化するために、自動化された方法を使用することができる、方法。
【請求項１３】
請求項１ないし１２のいずれかに記載の方法の各ステップをコンピュータに実行させる、コンピュータ・プログラム。
【請求項１４】
評価対象のシステムの構成に関連付けられている複雑度を定量的に評価するための装置であって、  メモリと、  前記メモリに結合されていて、（i）前記評価対象のシステムに関する構成関連のデータを収集するオペレーションと、（ii）前記構成関連のデータの少なくとも一部を人間による構成に関するコストのモデルを使用して定量的に分析することで前記評価対象のシステムの構成の複雑度を算出するオペレーションと、（iii）前記評価対象のシステムの前記構成の品質を評価するオペレーションと、（iv）前記定量的な分析および前記品質の評価に基づいて前記評価対象のシステムの前記構成の複雑度を提示するオペレーションとを行うように機能する少なくとも１つのプロセッサとを含み、 前記評価対象のシステムの前記構成の複雑度を提示する前記オペレーションが、指定された構成プロセスの金銭的な影響を計算するアルゴリズムを介してレポートを作成するオペレーションをさらに含み、
構成コストを最小限に抑える１つまたは複数のシステム構成を選択することによって、１つまたは複数のホスティング・サービスを提供する金銭的なコストを最適化するために、前記装置によって実行される前記オペレーションを使用することができる、装置。
【請求項１５】
前記評価対象のシステムに関する構成関連のデータを収集する前記オペレーションが、１つまたは複数の構成プロセスを取り込むオペレーションをさらに含む、請求項１４に記載の装置。
【請求項１６】
前記評価対象のシステムに関する構成関連のデータを収集する前記オペレーションが、１つまたは複数の構成コントロールに関するデータを収集するオペレーションをさらに含む、請求項１４に記載の装置。
【請求項１７】
１つまたは複数の構成コントロールに関するデータを収集する前記オペレーションが、パラメータ、実行可能なオペレーション、ステータスの表示、および構成リポジトリのうちの１つまたは複数を含むデータを収集するオペレーションをさらに含む、請求項１６に記載の装置。
【請求項１８】
前記評価対象のシステムの前記構成の複雑度を提示する前記オペレーションが、人間が読み取ることができるフォーマットおよび機械が読み取ることができるフォーマットのうちの１つまたは複数で前記複雑度の分析の結果を提示するオペレーションをさらに含む、請求項１４に記載の装置。
【請求項１９】
評価対象のシステムの構成に関連付けられている複雑度を定量的に評価するための装置であって、
メモリと、 前記メモリに結合されていて、（i）前記評価対象のシステムに関する構成関連のデータを収集するオペレーションと、（ii）前記構成関連のデータの少なくとも一部を定量的に分析して前記評価対象のシステムの構成の複雑度を算出するオペレーションと、（iii）前記定量的な分析に基づいて前記評価対象のシステムの前記構成の複雑度を提示するオペレーションとを行うように機能する少なくとも１つのプロセッサとを含み、
前記評価対象のシステムに関する構成関連のデータを収集する前記オペレーションが、１つまたは複数の構成プロセスを取り込むオペレーションをさらに含み、
さらに、１つまたは複数の構成プロセスを取り込む前記オペレーションが、
１人または複数の人間のオペレータの動作をモニタするオペレーション、
文書やスクリプトを分析するオペレーション、
構成プロセスを直接手動で入力できるようにするオペレーション、および
構成プロセスの１つまたは複数の明示的な仕様をロードするオペレーションのうちの１つまたは複数をさらに含む、装置。
【請求項２０】
評価対象のシステムの構成に関連付けられている複雑度を定量的に評価するための装置であって、
メモリと、 前記メモリに結合されていて、（i）前記評価対象のシステムに関する構成関連のデータを収集するオペレーションと、（ii）前記構成関連のデータの少なくとも一部を定量的に分析して前記評価対象のシステムの構成の複雑度を算出するオペレーションと、（iii）前記定量的な分析に基づいて前記評価対象のシステムの前記構成の複雑度を提示するオペレーションとを行うように機能する少なくとも１つのプロセッサとを含み、
前記構成関連のデータの少なくとも一部を定量的に分析して前記評価対象のシステムの前記構成の複雑度を算出する前記オペレーションが、１つまたは複数の構成複雑度スコアを計算するオペレーションをさらに含む、装置。
【請求項２１】
評価対象のシステムの構成に関連付けられている複雑度を定量的に評価するための装置であって、
メモリと、 前記メモリに結合されていて、（i）前記評価対象のシステムに関する構成関連のデータを収集するオペレーションと、（ii）前記構成関連のデータの少なくとも一部を定量的に分析して前記評価対象のシステムの構成の複雑度を算出するオペレーションと、（iii）前記定量的な分析に基づいて前記評価対象のシステムの前記構成の複雑度を提示するオペレーションとを行うように機能する少なくとも１つのプロセッサとを含み、
前記構成関連のデータの少なくとも一部を定量的に分析して前記評価対象のシステムの前記構成の複雑度を算出する前記オペレーションが、人間による構成に関するコストのモデルを使用するオペレーションをさらに含む、装置。
【請求項２２】
評価対象のシステムの構成に関連付けられている複雑度を定量的に評価するための装置であって、
メモリと、 前記メモリに結合されていて、（i）前記評価対象のシステムに関する構成関連のデータを収集するオペレーションと、（ii）前記構成関連のデータの少なくとも一部を定量的に分析して前記評価対象のシステムの構成の複雑度を算出するオペレーションと、（iii）前記定量的な分析に基づいて前記評価対象のシステムの前記構成の複雑度を提示するオペレーションとを行うように機能する少なくとも１つのプロセッサとを含み、
前記評価対象のシステムの前記構成の複雑度を提示する前記オペレーションが、指定された構成プロセスの金銭的な影響を計算するアルゴリズムを介してレポートを作成するオペレーションをさらに含む、装置。
【請求項２３】
評価対象のシステムの構成に関連付けられている複雑度を定量的に評価するための装置であって、
メモリと、 前記メモリに結合されていて、（i）前記評価対象のシステムに関する構成関連のデータを収集するオペレーションと、（ii）前記構成関連のデータの少なくとも一部を定量的に分析して前記評価対象のシステムの構成の複雑度を算出するオペレーションと、（iii）前記定量的な分析に基づいて前記評価対象のシステムの前記構成の複雑度を提示するオペレーションとを行うように機能する少なくとも１つのプロセッサとを含み、
構成の複雑度を最小限に抑えるように１つまたは複数の構成インターフェースを動的に適合させるために、前記装置によって実行される前記オペレーションを使用することができる、装置。
【請求項２４】
評価対象のシステムの構成に関連付けられている複雑度を定量的に評価するための装置であって、
メモリと、 前記メモリに結合されていて、（i）前記評価対象のシステムに関する構成関連のデータを収集するオペレーションと、（ii）前記構成関連のデータの少なくとも一部を定量的に分析して前記評価対象のシステムの構成の複雑度を算出するオペレーションと、（iii）前記定量的な分析に基づいて前記評価対象のシステムの前記構成の複雑度を提示するオペレーションとを行うように機能する少なくとも１つのプロセッサとを含み、
構成コストを最小限に抑える１つまたは複数のシステム構成を選択することによって、１つまたは複数のホスティング・サービスを提供する金銭的なコストを最適化するために、前記装置によって実行される前記オペレーションを使用することができる、装置。